(57)【要約】  タッチ操作がなされる操作面（１４ａ）を有するタッチパネル（１４）と、そのタッチ操作に応じて操作面（１４ａ）に加振力を与えるボイスコイルアクチュエータ（２０）と、タッチパネル（１４）をばね（１６）を介して支持する本体筐体（１３）とを備え、ボイスコイルアクチュエータ（２０）は、本体筐体（１３）に設けられ、磁気隙間（２７）を有する磁気回路部（２０Ｂ）と、タッチパネル（１４）の後面に設けられ、磁気隙間（２７）内に配置されるコイル（２３）を有するコイル部（２０Ａ）と、コイル部（２０Ａ）が磁気回路部（２０Ｂ）側に向けて押し込まれたときに、コイル部（２０Ａ）と磁気回路部（２０Ｂ）とを嵌合させて、コイル部（２０Ａ）の中心位置と磁気回路部（２０Ｂ）の中心位置とを位置合わせする嵌合部（２１０，２５０）とを備える。
2020161892.tif 000002
【特許請求の範囲】
【請求項１】
タッチ操作がなされる操作面を有するパネルと、
そのタッチ操作に応じて前記操作面に加振力を与えるアクチュエータと、
前記パネルを、弾性部材を介して支持する固定部材とを備え、
前記アクチュエータは、
前記固定部材に設けられ、環状をなす磁気隙間を有する磁気回路部と、
前記パネルの後面に設けられ、前記磁気隙間内に配置される円筒状をなすコイルを有するコイル部と、
前記コイル部が前記磁気回路部側に向けて押し込まれたときに、前記磁気回路部と前記コイル部とを嵌合させて、前記磁気回路部の中心位置と前記コイル部の中心位置とを位置合わせする嵌合部とを備える
ことを特徴とする電子機器。
【請求項２】
前記嵌合部は、
前記磁気回路部または前記コイル部から突出し、凸面及び当該凸面の周囲に形成される外周傾斜面を有する嵌合凸部と、
前記コイル部または前記磁気回路部に凹むように設けられると共に、前記嵌合凸部と嵌合し、凹面及び当該凹面の周囲に形成される内周傾斜面を有する嵌合凹部とを備え、
前記凸面の直径は、前記凹面の直径以上であり、
前記外周傾斜面の傾斜角度と、前記内周傾斜面の傾斜角度とは、同じ傾斜角度である
ことを特徴とする請求項１記載の電子機器。
【請求項３】
前記嵌合部は、
前記磁気回路部または前記コイル部の外周側に設けられる外周傾斜面と、
前記コイル部または前記磁気回路部の内周側に設けられ、前記外周傾斜面と嵌合する内周傾斜面とを備える
ことを特徴とする請求項１記載の電子機器。
【発明の詳細な説明】
【技術分野】
【０００１】
この発明は、タッチパネルを振動可能に支持する電子機器に関する。
【背景技術】
【０００２】
従来、ユーザのタッチ操作に応じて、その指先に振動をフィードバックする機能を有する電子機器が提供されている。この電子機器は、タッチパネルを振動可能に支持しており、当該タッチパネルに加振力を与えるアクチュエータを備えている。このような、電子機器のアクチュエータとしては、ボイスコイルアクチュエータが多く採用されている。【０００３】
ボイスコイルアクチュエータは、固定側の磁気回路部と、可動側のコイル部とから構成されており、磁気回路部とコイル部との間に、磁界を発生させることにより、コイル部を磁気回路部に対して振動させる。また、ボイスコイルアクチュエータは、スピーカのアクチュエータとしても採用されている。そして、このような、従来のボイスコイルアクチュエータとしては、例えば、特許文献１に開示されている。
【先行技術文献】
【特許文献】
【０００４】
【特許文献１】特開昭６１−２８２９６号公報
【発明の概要】
【発明が解決しようとする課題】
【０００５】
上記従来のボイスコイルアクチュエータは、磁気回路部の磁石をコイル部のコイルの外側に配置した外磁型のボイスコイルアクチュエータとなっている。一般的に、外磁型のボイスコイルアクチュエータは、磁石をコイルの外側に配置することにより、磁石の大型化を図ることができ、当該磁石の断面積を確保して、磁気回路部における磁束密度を高めることができる。ボイスコイルアクチュエータが発揮する加振力の大きさは、磁束密度の高さに比例する。【０００６】
また、ボイスコイルアクチュエータが効率的に加振力を発揮するためには、磁気回路部におけるヨークとポールとの間の隙間を狭くして、磁束密度を高めた状態で、その隙間内に、コイルを高精度に位置決めする必要がある。このとき、磁気回路部とコイル部との間の位置決め精度が不十分となる場合には、磁気回路部のヨーク及びポールと、コイル部のコイルとが接触してしまい、ボイスコイルアクチュエータは、破損するおそれがある。【０００７】
この発明は、上記のような課題を解決するためになされたもので、コイル部と磁気回路部との間の位置決めを行うことにより、必要な磁束密度の高さで加振力を得ることができる電子機器を提供することを目的とする。
【課題を解決するための手段】
【０００８】
この発明に係る電子機器は、タッチ操作がなされる操作面を有するパネルと、そのタッチ操作に応じて操作面に加振力を与えるアクチュエータと、パネルを、弾性部材を介して支持する固定部材とを備え、アクチュエータは、固定部材に設けられ、環状をなす磁気隙間を有する磁気回路部と、パネルの後面に設けられ、磁気隙間内に配置される円筒状をなすコイルを有するコイル部と、コイル部が磁気回路部側に向けて押し込まれたときに、磁気回路部とコイル部とを嵌合させて、磁気回路部の中心位置とコイル部の中心位置とを位置合わせする嵌合部とを備えることを特徴とするものである。
【発明の効果】
【０００９】
この発明によれば、コイル部と磁気回路部との間の位置決めを行うことにより、必要な磁束密度の高さで加振力を得ることができる。
【図面の簡単な説明】
【００１０】
【図１】実施の形態１に係る電子機器の正面図である。
【図２】図１のII−II矢視断面図である。
【図３】図１のIII−III矢視断面図である。
【図４】実施の形態１に係る電子機器の凹凸嵌合構造を示した図である。図４Ａは嵌合部が嵌合する前の状態を示した図である。図４Ｂは嵌合部が嵌合した後の状態を示した図である。
【図５】実施の形態２に係る電子機器の凹凸嵌合構造を示した図である。
【発明を実施するための形態】
【００１１】
以下、この発明をより詳細に説明するために、この発明を実施するための形態について、添付の図面に従って説明する。
【００１２】
実施の形態１．
先ず、実施の形態１に係る電子機器の構成について、図１から図３を用いて説明する。図１は、実施の形態１に係る電子機器の正面図である。図２は、図１のII−II矢視断面図である。図３は、図１のIII−III矢視断面図である。
【００１３】
実施の形態１に係る電子機器は、車両に設置された車載機器であって、ユーザのタッチ操作に応じて、その指先に振動をフィードバックする機能を有している。この電子機器は、前部意匠パネル１１、後部意匠パネル１２、本体筐体１３、タッチパネル１４、液晶パネル１５、ばね１６、及び、ボイスコイルアクチュエータ２０を備えている。これに対して、車両の車室内には、車両パネル５１、取付板５２、及び、車両固定部５３が設けられている。
【００１４】
前部意匠パネル１１及び後部意匠パネル１２は、電子機器の外殻を構成するものであって、互いに接合されている。前部意匠パネル１１は、電子機器の前部に配置されており、矩形枠状をなしている。この前部意匠パネル１１は、矩形をなす開口部１１ａを有している。後部意匠パネル１２は、電子機器の後部に配置されており、矩形板状をなしている。そして、前部意匠パネル１１の下縁部及び後部意匠パネル１２の下縁部は、その外側から車両パネル５１によって覆われており、当該車両パネル５１に固定されている。
【００１５】
本体筐体１３、タッチパネル１４、液晶パネル１５、ばね１６、及び、ボイスコイルアクチュエータ２０は、前部意匠パネル１１と後部意匠パネル１２との取り付けによって形成された内部空間に設けられている。このうち、本体筐体１３は、取付板５２を介して、車両固定部５３に固定されている。この本体筐体１３は、固定部材を構成するものである。
【００１６】
タッチパネル１４及び液晶パネル１５は、共に矩形をなしており、タッチパネル１４は、液晶パネル１５よりも大きいパネルである。そして、タッチパネル１４の後面と液晶パネル１５の前面とは、貼り合わされている。このとき、液晶パネル１５は、タッチパネル１４の中央部に位置しており、タッチパネル１４の後面における外周縁部には、液晶パネル１５が貼り付けられてはいない。
【００１７】
タッチパネル１４は、液晶パネル１５と貼り合わされた状態で、前部意匠パネル１１の開口部１１ａ内に収納されている。タッチパネル１４の前面は、前部意匠パネル１１の開口部１１ａから露出して前方を向いており、操作面１４ａを構成している。この操作面１４ａは、ユーザからのタッチ操作を受け付けるものである。
【００１８】
ばね１６は、本体筐体１３の前面とタッチパネル１４の後面における外周縁部との間の複数箇所において、折り曲げられた状態で接続されている。このばね１６の両端は、ねじ１７を用いて固定されている。これにより、タッチパネル１４は、ばね１６の弾性力を利用して、本体筐体１３に対して振動可能に支持されている。即ち、タッチパネル１４は、本体筐体１３に対して、フローティング状態となっている。なお、ばね１６は、弾性部材を構成するものである。
【００１９】
ボイスコイルアクチュエータ２０は、本体筐体１３の前面とタッチパネル１４の後面における外周縁部との間に、複数設けられている。但し、図１及び図３に示したボイスコイルアクチュエータ２０は、タッチパネル１４の後面における左右両周縁部のみに対応して設けられているが、これに加えて、その後面における上下両周縁部に設けても構わない。また、ボイスコイルアクチュエータ２０は、タッチパネル１４の後面における上下両周縁部のみに対応して設けても構わない。即ち、ボイスコイルアクチュエータ２０の設置数量及び設置位置は、適宜、調整可能である。
【００２０】
更に、ボイスコイルアクチュエータ２０は、外形が円形をなしており、コイル部２０Ａ及び磁気回路部２０Ｂを有している。コイル部２０Ａと磁気回路部２０Ｂとは、同軸状に配置されている。そして、コイル部２０Ａは、タッチパネル１４の後面における外周縁部に接着されている。一方、磁気回路部２０Ｂは、本体筐体１３の前面に固定されている。
【００２１】
コイル部２０Ａは、押し子２１、コイルボビン２２、及び、コイル２３を有している。押し子２１は、円形状をなしており、その前面がタッチパネル１４の後面に接着されている。また、押し子２１は、嵌合凸部２１０を有している。この嵌合凸部２１０は、押し子２１の後面中心部に設けられており、当該後面から後方に向けて突出している。コイルボビン２２は、円筒状をなしており、押し子２１の後面に設けられている。コイル２３は、ボイスコイルアクチュエータ２０の振動源となるものであって、コイルボビン２２の外周面に巻き付けられている。
【００２２】
磁気回路部２０Ｂは、ヨーク２４、ポール２５、磁石２６、及び、磁気隙間２７を有している。ヨーク２４及びポール２５は、磁性材料で形成されている。
【００２３】
ヨーク２４は、円形状をなす底板部と、円筒部とから構成されている。ヨーク２４の底板部は、本体筐体１３の前面に対して、ねじ１８を用いて固定されている。ねじ１８は、本体筐体１３の後方から、当該本体筐体１３に形成される通し孔１３ａを貫通して、ヨーク２４の底板部に締結している。
【００２４】
ポール２５及び磁石２６は、円形状をなしており、ヨーク２４の円筒部内において、同軸状に重ね合わされて配置されている。磁石２６は、ヨーク２４の底面に設けられており、ポール２５は、その磁石２６の前面に設けられている。なお、ポール２５の外径は、磁石２６の外径以上となっている。
【００２５】
また、ポール２５は、嵌合凹部２５０を有している。この嵌合凹部２５０は、ポール２５の前面中心部に設けられており、当該前面から後方に向けて凹んでいる。これにより、上記嵌合凸部２１０と嵌合凹部２５０とは、嵌合可能となっている。なお、嵌合凸部２１０と嵌合凹部２５０とは、嵌合部を構成するものである。この嵌合部の詳細については、図４を用いて後述する。
【００２６】
そして、ヨーク２４における円筒部の内周面と、ポール２５の外周面との間には、環状をなす磁気隙間２７が形成されている。これに対して、コイルボビン２２の外周面に巻き付けられたコイル２３は、磁気隙間２７内に配置されている。これにより、磁石２６は、コイル２３の内側に配置されることになる。このように、ボイスコイルアクチュエータ２０は、磁石２６をコイル２３の内側に配置させた構成となるため、内磁型のボイスコイルアクチュエータとなっている。
【００２７】
従って、ボイスコイルアクチュエータ２０は、コイル２３に供給された振動電流と、磁気隙間２７内をポール２５からヨーク２４に向けて流れる磁束との相互作用によって、コイル２３がコイルボビン２２と一体となって、コイル部２０Ａの軸方向において振動する。そして、ボイスコイルアクチュエータ２０によって発生された振動は、タッチパネル１４に伝達される。
【００２８】
ここで、押し子２１の後面とポール２５の前面との間には、前後方向において、所定量の隙間が設けられている。この隙間は、コイル部２０Ａが振動しても、押し子２１の後面とポール２５の前面とが接触しない程度の隙間となっている。これにより、嵌合凸部２１０と嵌合凹部２５０とは、コイル部２０Ａが振動しても、接触しない。
【００２９】
即ち、前部意匠パネル１１、後部意匠パネル１２、本体筐体１３、及び、磁気回路部２０Ｂは、電子機器を構成する部材の中でも、車両側に固定される固定部となっている。一方、タッチパネル１４、液晶パネル１５、及び、コイル部２０Ａは、上記固定部に対して、ばね１６によって振動可能に支持される可動部となっている。
【００３０】
また、実施の形態１に係る電子機器は、その製造時において、押し子２１の嵌合凸部２１０と、ポール２５の嵌合凹部２５０とを、当該電子機器の前後方向において嵌合させて、コイル部２０Ａの中心位置と磁気回路部２０Ｂの中心位置とを互いに位置合わせさせる。そして、実施の形態１に係る電子機器は、上記の如く、コイル部２０Ａと磁気回路部２０Ｂとが同軸状に配置された状態で、ボイスコイルアクチュエータ２０におけるコイル部２０Ａと磁気回路部２０Ｂとの間の位置決めを行う。この結果、実施の形態１に係る電子機器は、環状をなす磁気隙間２７を、全周に亘って、均一な長さで保持することができる。
【００３１】
次に、実施の形態１に係る電子機器の凹凸嵌合構造について、図４を用いて説明する。図４Ａは、嵌合部が嵌合する前の状態を示した図である。図４Ｂは、嵌合部が嵌合した後の状態を示した図である。
【００３２】
押し子２１の嵌合凸部２１０は、テーパ状に突出している。この嵌合凸部２１０は、凸面２１１及び外周傾斜面２１２を有している。凸面２１１は、嵌合凸部２１０の中で最も突出した頂面を形成している。外周傾斜面２１２は、所謂、テーパ面であって、凸面２１１の周囲に形成されている。
【００３３】
ポール２５の嵌合凹部２５０は、テーパ状に凹んでいる。この嵌合凹部２５０は、凹面２５１及び内周傾斜面２５２を有している。凹面２５１は、嵌合凹部２５０の中で最も凹んだ底面を形成している。内周傾斜面２５２は、所謂、内径テーパ面であって、凹面２５１の周囲に形成されている。
【００３４】
このとき、凸面２１１の直径Ｄ１は、凹面２５１の直径Ｄ２以上となっている。即ち、凸面２１１と凹面２５１とは、Ｄ１≧Ｄ２となる関係を有している。また、外周傾斜面２１２の押し子２１の裏面に対する傾斜角度と、内周傾斜面２５２のポール２５の前面に対する傾斜角度とは、同じ傾斜角度となっている。これにより、コイル部２０Ａと磁気回路部２０Ｂとは、嵌合時において、外周傾斜面２１２と内周傾斜面２５２とが互いに接触して中心に向けてガイドするため、より確実に、中心位置同士を位置合わせすることができる。この結果、実施の形態１に係る電子機器は、ボイスコイルアクチュエータ２０におけるコイル部２０Ａと磁気回路部２０Ｂとの間の位置決めを、高精度に行うことができる。
【００３５】
次に、実施の形態１に係る電子機器の製造方法について、図１から図４を用いて説明する。
【００３６】
先ず、タッチパネル１４の後面と液晶パネル１５の前面とが、接着される。また、ばね１６の一端が、タッチパネル１４の後面における外周縁部に対して、ねじ１７を用いて固定される。
【００３７】
次いで、タッチパネル１４の後面における外周縁部と、コイル部２０Ａにおける押し子２１の前面とが、接着される。これにより、可動部の組み立てが完了する。
【００３８】
そして、磁気回路部２０Ｂが、本体筐体１３の前面に対して、ねじ１８を用いて仮固定される。なお、磁気回路部２０Ｂの仮固定状態とは、ねじ１８のねじ部がヨーク２４に締結するものの、ねじ１８の頭部が本体筐体１３の後面に当接しておらず、磁気回路部２０Ｂが本体筐体１３に対して通し孔１３ａとねじ１８との間の隙間量の分だけ移動できる状態のことである。
【００３９】
続いて、ばね１６の他端が、本体筐体１３の前面に対して、ねじ１７を用いて固定される。
【００４０】
次いで、可動部が、所定の荷重で、固定部側に向けて押し込まれ、押し子２１の嵌合凸部２１０とポール２５の嵌合凹部２５０とが嵌合する。これにより、外周傾斜面２１２と内周傾斜面２５２とが、互いに接触して中心に向けてガイドするため、コイル部２０Ａと磁気回路部２０Ｂとは、中心位置同士が位置合わせされる。
【００４１】
そして、磁気回路部２０Ｂが、本体筐体１３の前面に対して、ねじ１８を用いて固定される。なお、磁気回路部２０Ｂの固定状態とは、ねじ１８のねじ部がヨーク２４に締結すると共に、ねじ１８の頭部が本体筐体１３の後面に当接し、磁気回路部２０Ｂが本体筐体１３に対して移動できない状態のことである。この結果、環状をなす磁気隙間２７は、全周に亘って、均一な長さで保持される。
【００４２】
続いて、可動部を押し込んでいた荷重が、取り除かれる。これにより、可動部が、ばね１６の弾性力によって、通常の位置に復帰し、押し子２１の後面とポール２５の前面との間には、所定量の隙間が形成される。
【００４３】
次いで、タッチパネル１４が、前部意匠パネル１１の開口部１１ａ内に嵌め込めれた後、その前部意匠パネル１１と、本体筐体１３をその後方から覆った後部意匠パネル１２とが、組み付けられる。
【００４４】
また、実施の形態１に係る電子機器は、内磁型のボイスコイルアクチュエータ２０を備えることにより、磁石２６をコイル２３の内側に配置して、当該磁石２６の小型化を図り、電子機器全体の小型化を図っている。内磁型のボイスコイルアクチュエータ２０は、外磁型のボイスコイルアクチュエータと比べて、磁石２６を小さくできるものの、その分、磁石２６の断面積が小さくなり、磁束密度の低下を招くおそれがある。
【００４５】
しかしながら、実施の形態１に係る電子機器は、内磁型のボイスコイルアクチュエータ２０を採用しても、嵌合凸部２１０と嵌合凹部２５０とから構成される嵌合部を用いて、コイル部２０Ａと磁気回路部２０Ｂとの間の位置決めを高精度に行うことができるため、磁気隙間２７を狭くして、磁束密度の向上を図ることができる。そこで、加振力をＦ、磁束密度をＢ、コイル線長をＬ、及び、コイル２３に流れる電流をｉとすると、Ｆ＝Ｂ＊Ｌ＊ｉという関係式が得られる。この関係式から明らかなように、実施の形態１に係る電子機器は、磁束密度を向上させることにより、より大きな加振力を得ることができる。
【００４６】
但し、実施の形態１に係る電子機器は、コイル部２０Ａに嵌合凸部２１０を設ける一方、磁気回路部２０Ｂに嵌合凹部２５０を設ける構成としているが、コイル部２０Ａに嵌合凹部を設ける一方、磁気回路部２０Ｂに嵌合凸部を設ける構成としても構わない。また、実施の形態１に係る電子機器は、コイル部２０Ａを可動部に設ける一方、磁気回路部２０Ｂを固定部に設ける構成としているが、コイル部２０Ａを固定部に設ける一方、磁気回路部２０Ｂを可動部に設ける構成としても構わない。
【００４７】
以上より、実施の形態１に係る電子機器は、タッチ操作がなされる操作面１４ａを有するタッチパネル１４と、そのタッチ操作に応じて操作面１４ａに加振力を与えるボイスコイルアクチュエータ２０と、タッチパネル１４をばね１６を介して支持する本体筐体１３とを備えている。そして、ボイスコイルアクチュエータ２０は、本体筐体１３に設けられ、環状をなす磁気隙間２７を有する磁気回路部２０Ｂと、タッチパネル１４の後面に設けられ、磁気隙間２７内に配置される円筒状をなすコイル２３を有するコイル部Ａ２０と、コイル部２０Ａが磁気回路部２０Ｂ側に向けて押し込まれたときに、コイル部２０Ａと磁気回路部２０Ｂとを嵌合させて、コイル部２０Ａの中心位置と磁気回路部２０Ｂの中心位置とを位置合わせする嵌合凸部２１０及び嵌合凹部２５０とを備えている。これにより、実施の形態１に係る電子機器は、コイル部２０Ａと磁気回路部２０Ｂとの間の位置決めを行うことにより、必要な磁束密度の高さで加振力を得ることができる。
【００４８】
また、実施の形態１に係る電子機器は、磁気回路部２０Ｂから突出し、凸面２１１及び当該凸面２１１の周囲に形成される外周傾斜面２１２を有する嵌合凸部２１０と、コイル部２０Ａに凹むように設けられると共に、嵌合凸部２１０と嵌合し、凹面２５１及び当該凹面２５１の周囲に形成される内周傾斜面２５２を有する嵌合凹部２５０とを備えている。そして、凸面２１１の直径Ｄ１は、凹面２５１の直径Ｄ２以上であり、外周傾斜面２１２の傾斜角度と、内周傾斜面２５２の傾斜角度とは、同じ傾斜角度となっている。これにより、実施の形態１に係る電子機器は、コイル部２０Ａと磁気回路部２０Ｂとの嵌合時において、外周傾斜面２１２と内周傾斜面２５２とが互いに接触して中心に向けてガイドするため、より確実に、コイル部２０Ａの中心位置と磁気回路部２０Ｂの中心位置とを位置合わせすることができる。
【００４９】
更に、実施の形態１に係る電子機器は、嵌合凸部２１０及び嵌合凹部２５０を備えることにより、操作面１４ａへのタッチ操作が所定の荷重以上で行われて、タッチパネル１４が後方に向けて押し込まれた場合であっても、嵌合凸部２１０が嵌合凹部２５０に嵌合するため、タッチパネル１４における必要以上の後退を規制することができる。これにより、実施の形態１に係る電子機器は、ボイスコイルアクチュエータ２０の破損を防止することができる。
【００５０】
実施の形態２．
実施の形態２に係る電子機器の構成について、図５を用いて説明する。図５は、実施の形態２に係る電子機器の凹凸嵌合構造を示した図である。
【００５１】
図５に示した実施の形態２に係る電子機器は、実施の形態１に係る電子機器における嵌合凸部２１０及び嵌合凹部２５０に替えて、外周傾斜面２１ａ及び内周傾斜面２４ａを備えた構成となっている。外周傾斜面２１ａ及び内周傾斜面２４ａは、嵌合部を構成するものである。
【００５２】
押し子２１は、外周傾斜面２１ａを有している。この外周傾斜面２１ａは、コイル部２０Ａの外周側に設けられている。一方、ヨーク２４は、内周傾斜面２４ａを有している。この内周傾斜面２４ａは、ヨーク２４の円筒部における内周側に設けられている。また、外周傾斜面２１ａの押し子２１の裏面に対する傾斜角度と、内周傾斜面２４ａのヨーク２４の前端面に対する傾斜角度とは、同じ傾斜角度となっている。そして、外周傾斜面２１ａと内周傾斜面２４ａとは、嵌合可能となっている。
【００５３】
これにより、コイル部２０Ａと磁気回路部２０Ｂとは、嵌合時において、外周傾斜面２１ａと内周傾斜面２４ａとが互いに接触して中心に向けてガイドするため、より確実に、中心位置同士を位置合わせすることができる。この結果、実施の形態２に係る電子機器は、ボイスコイルアクチュエータ２０におけるコイル部２０Ａと磁気回路部２０Ｂとの間の位置決めを、高精度に行うことができる。
【００５４】
但し、実施の形態２に係る電子機器は、コイル部２０Ａに外周傾斜面２１ａを設ける一方、磁気回路部２０Ｂに内周傾斜面２４ａを設ける構成としているが、コイル部２０Ａに内周傾斜面を設ける一方、磁気回路部２０Ｂに外周傾斜面を設ける構成としても構わない。
【００５５】
以上より、実施の形態２に係る電子機器は、磁気回路部２０Ｂの外周側に設けられる外周傾斜面２１ａと、コイル部２０Ａの内周側に設けられ、外周傾斜面２１ａと嵌合する内周傾斜面２４ａとを備えている。これにより、実施の形態２に係る電子機器は、コイル部２０Ａと磁気回路部２０Ｂとの嵌合時において、外周傾斜面２１ａと内周傾斜面２４ａとが互いに接触して中心に向けてガイドするため、より確実に、コイル部２０Ａの中心位置と磁気回路部２０Ｂの中心位置とを位置合わせすることができる。
【００５６】
なお、本願発明は、その発明の範囲内において、各実施の形態の自由な組み合わせ、あるいは、各実施の形態における任意の構成要素の変形、もしくは、各実施の形態における任意の構成要素の省略が可能である。
【産業上の利用可能性】
【００５７】
この発明に係る電子機器は、嵌合部を用いて、アクチュエータにおける磁気回路部とコイル部との間の位置決めを行うことができ、タッチパネルを振動可能に支持する電子機器に用いるのに適している。
【符号の説明】
【００５８】
１１  前部意匠パネル、１１ａ  開口部、１２  後部意匠パネル、１３  本体筐体、１３ａ  通し孔、１４  タッチパネル、１４ａ  操作面、１５  液晶パネル、１６  ばね、１７，１８  ねじ、２０  ボイスコイルアクチュエータ、２０Ａ  コイル部、２０Ｂ  磁気回路部、２１  押し子、２１ａ  外周傾斜面、２１０  嵌合凸部、２１１  凸面、２１２  外周傾斜面、２２  コイルボビン、２３  コイル、２４  ヨーク、２４ａ  内周傾斜面、２５  ポール、２５０  嵌合凹部、２５１  凹面、２５２  内周傾斜面、２６  磁石、２７  磁気隙間、５１  車両パネル、５２  取付板、５３  車両固定部。
【図１】
2020161892.tif 000003
【図２】
2020161892.tif 000004
【図３】
2020161892.tif 000005
【図４】
2020161892.tif 000006
【図５】
2020161892.tif 000007
【国際調査報告】
2020161892.tif 000008
2020161892.tif 000009